(57)【要約】【課題】  プラスチックサイジング材を用いた不燃性の外壁構造の提供。【解決手段】  外壁構造１はプラスチックサイジング材２、防水シート３、不燃性平板４、下地材５により構成され、プラスチックサイジング材２は釘やビス等の固定具７で下地材５の表面側に固定される。下地材５の裏面側には石膏ボード等の内装材６が貼り付けられる。【選択図】        図１
2005171617.tif 000002
【特許請求の範囲】
【請求項１】
建物の下地材５に外壁材を貼り付けて構成される外壁構造において、前記外壁材はプラスチックサイジング材２であり、そのプラスチックサイジング材２の裏面側に釘打可能で且つ所定の壁倍率を有する剛性の高い不燃性平板４を介在させたことを特徴とする外壁構造。
【請求項２】
請求項１において、前記プラスチックサイジング材２と不燃性平板４の間に防水シート３を介在させたことを特徴とする外壁構造。
【発明の詳細な説明】
【技術分野】
【０００１】
本発明は建物の下地材に外壁材を貼り付けて構成される外壁構造に関する。
【背景技術】
【０００２】
建築基準法第２３条には、特定区域における建物の外壁構造には不燃材を使用する旨規定されている。従来から木造家屋等の建築物の外壁材としてサイジング材が多く使用されているが、一般的な不燃性のサイジング材には窯業系や金属系のサイジング材がある。
【０００３】
窯業系サイジング材はセメント系材料を焼成して製造されたもので、金属系サイジング材は金属板を成形したもであり、いずれも良好な不燃性を有する。それらのサイジング材は合板に釘やビスを介して接続される。この合板は必要な壁倍率を容易に得ることができる。なおここで壁倍率とは、耐力壁の水平方向に対する性能（せん断性能）の程度を表すもので、この値が高いほど大きな水平耐力を有する。
【０００４】
窯業系サイジング材は上記のように優れた特性を有するが、反面、外部からの衝撃に弱く、価格も高いという問題がある。そこで近年、米国でプラスチックを素材としたサイジング材（プラスチックサイジング材）が開発され広く普及している。このプラスチックサイジング材は塩化ビニール等のプラスチックにガラス長繊維等の補強繊維を分散して板材としたもので、釘やビス等の固定具で建物の下地材に容易に固定して貼り付けることができる。
【発明の開示】
【発明が解決しようとする課題】
【０００５】
プラスチックサイジング材は安価であり、重量が軽く施工性もよいという利点がある。しかし通常のプラスチックサイジング材は耐熱性が低く、火災における火力で溶解するので、そのままでは不燃性の外壁材として使用できない。そこで本発明はプラスチックサイジング材を用いた良好な不燃性を有する外壁構造を提供することを課題とする。
【課題を解決するための手段】
【０００６】
前記課題を解決する本発明に係る外壁構造は、建物の下地材に外壁材を貼り付けて構成される外壁構造であり、前記外壁材としてプラスチックサイジング材を用い、そのプラスチックサイジング材の裏面側に釘打可能で且つ所定の壁倍率を有する剛性の高い不燃性平板を介在させたことを特徴とする。その際、プラスチックサイジング材と不燃性平板の間に更に防水シートを介在させることもできる。
【発明の効果】
【０００７】
本発明の外壁構造は、火災の際に表面のプラスチックサイジング材は火力で溶解する場合があるが、そのプラスチックサイジング材の裏面側に介在する不燃性平板で壁内部への延焼を防止する構造となっている。そのため建築法で規定された外壁としての不燃性を十分に確保できる。またプラスチックサイジング材と不燃性平板の複合構造によって必要な壁倍率を容易に得ることができる。さらに本発明の外壁構造は安価なプラスチックサイジング材を使用しているので、外壁の施工コストを大幅に低減することができる。
【０００８】
さらに、プラスチックサイジング材と不燃性平板の間に防水シートを介在させることにより、万一プラスチックサイジング材の隙間から雨水等が浸入しても、それが壁内部へ浸透することを防止できる。
【発明を実施するための最良の形態】
【０００９】
次に図面に基づき本発明に係る外壁構造の最良の形態を説明する。図１は本発明の外壁構造の部分断面図であり、図２はその正面図である。外壁構造１はプラスチックサイジング材２と、プラスチックサイジング材２の裏面側に配置した防水シート３と、防水シート３の裏面側に配置した不燃性平板４と、不燃性平板４の裏面側の下地材５と、下地材５の内側に貼り付けた石膏ボード等の内壁材６を備えている。なお、下地材５は柱（垂直材１０、上枠材８、下枠材９等）や梁等である。
【００１０】
プラスチックサイジング材２は例えば塩化ビニール等のプラスチックにガラス長繊維等の補強繊維を分散して板材に成形したものであり、板材の厚さは通常１mm〜２mm程度とされる。この程度の厚さのプラスチックサイジング材２は釘やビス等の固定具７で、不燃性平板４を介して下地材５に容易に固定して貼り付けることができるが、予め釘穴を設けることもできる。
【００１１】
プラスチックサイジング材２の裏面側の防水シート３は所望により設けられ、例えば紙材（またはフェルト材）にコールタールを含浸させた一般的な防水シートや、透質防水シートを使用することができる。
【００１２】
不燃性平板４は例えば、火山性ガラス質複層板を用いることができる。これは、火山性ガラス質堆積物（シラス、白土、軽石など）の粒体およびそれらの発砲体を無機系繊維と複合し、有機系結合材によって層状に成形した建築用ボードである。または石膏ボードを樹脂で固め、その表面側にガラス繊維を固着したもの等も使用できる。これらの不燃性平板４の厚さは１２mm〜１５mm程度が望ましく、この程度の厚さの不燃性平板４は釘やビス等の固定具７ａで下地材５に容易に固定して貼り付けることができる。上記厚さ範囲の不燃性平板４とプラスチックサイジング材２の複合構造により、高い水平せん断応力の壁構造を設定できるので、必要な壁倍率を容易に得ることができる。なお、好ましくは不燃性平板自体で、その壁倍率が通常使用されている構造用合板と同程度になるようにする。
【００１３】
下地材５の構造は建築工法の種類により異なるが、一般には木製または金属製の縦材と横材を組み合わせて構成される。図示の例は枠組壁工法（いわゆるツーバイフォー工法）の下地材５であり、水平方向に所定の間隔で配置した上枠材８（いわゆる頭つなぎ８ａを含む）と下枠材９の間に所定間隔で複数の垂直材１０を接続して構成される。
【００１４】
次に図１（及び図２）に示す外壁構造の施工方法について説明する。先ず組み上げた下地材５の表面側に不燃性平板４を配置し、それを多数の固定具７ａで下地材５に固定して貼り付ける。次にその不燃性平板４の表面に防水シート３を図示しないコ字状のタッカで止着する。さらにその防水シート３の表面側からプラスチックサイジング材２を多数の固定具７で、不燃性平板４を貫通して下地材５（垂直材１０、下枠材９、上枠材８）に固定することにより外壁構造１が完成する。また、垂直材１０と下枠材９と上枠材８とでかこまれた空間には図示しない断熱材が充填される。そして最後に下地材５の裏面側に石膏ボード等の内装材６を釘やビス等の固定具で固定して貼り付ける。
【産業上の利用可能性】
【００１５】
本発明の外壁構造は木造建築物の外壁を構成する場合に利用できる。
【図面の簡単な説明】
【００１６】
【図１】本発明の外壁構造の部分断面図。
【図２】図１の正面図。
【符号の説明】
【００１７】
１  外壁構造
２  プラスチックサイジング材
３  防水シート
４  不燃性平板
５  下地材
６  内壁材
７，７ａ  固定具
８  上枠材
８ａ  頭つなぎ
９  下枠材
１０  垂直材
【図１】
2005171617.tif 000003
【図２】
2005171617.tif 000004
【手続補正書】
【提出日】平成15年12月16日(2003.12.16)
【手続補正１】
【補正対象書類名】明細書
【補正対象項目名】００１１
【補正方法】変更
【補正の内容】
【００１１】
プラスチックサイジング材２の裏面側の防水シート３は所望により設けられ、例えば紙材（またはフェルト材）にコールタールを含浸させた一般的な防水シートや、透湿防水シートを使用することができる。